(57)【要約】【目的】洗浄液と左右のコンタクトレンズを個別に入れる独立した一対の有底筒状部を有するケース本体と、一対の有底筒状部の開放端に着脱可能な一対の偏平な逆有底筒状をなすキャップ体とを、雑菌の付着のおそれなく、容易に乾燥させることができるホルダーを提供する。【構成】ケース本体を一対の有底筒状部の開放端を下方に向けて、該一対の筒状部の端面外周縁に少なくとも２カ所で点または線接触して保持するケース本体保持部と；逆有底筒状キャップ体の開放端を下方に向けて該筒状部の端面外周縁に少なくとも２カ所で点または線接触して保持する一対のキャップ体保持部と；を有するコンタクトレンズケースホルダー。【選択図】      図１
2004298564.tif 000002
【特許請求の範囲】
【請求項１】
洗浄液と左右のコンタクトレンズを個別に入れる独立した一対の有底筒状部を有するケース本体と、上記一対の有底筒状部の開放端に着脱可能な一対の偏平な逆有底筒状をなすキャップ体とを有するコンタクトレンズケースを保持するためのホルダーであって、
上記ケース本体を一対の有底筒状部の開放端を下方に向けて、該一対の筒状部の端面外周縁に少なくとも２カ所で点または線接触して保持するケース本体保持部と；上記逆有底筒状キャップ体の開放端を下方に向けて該筒状部の端面外周縁に少なくとも２カ所で点または線接触して保持する一対のキャップ体保持部と；
を有することを特徴とするコンタクトレンズケースホルダー。
【請求項２】
請求項１記載のコンタクトレンズケースホルダーにおいて、該ホルダーは、平板状基板を備え、上記ケース本体保持部と一対のキャップ体保持部とはそれぞれ、該平板状基板の下面に垂下形成した、該基板から下方に向けて間隔を縮小する各一対のテーパ脚部によって形成されているコンタクトレンズケースホルダー。
【請求項３】
請求項２記載のコンタクトレンズケースホルダーにおいて、ケース本体保持部の一対のテーパ脚部と、一対のキャップ保持部の各一対のテーパ脚部部は、同一直線状に並んでいるコンタクトレンズケースホルダー。
【請求項４】
請求項２記載のコンタクトレンズケースホルダーにおいて、一対のキャップ保持部のテーパ脚部は一直線上に並び、この一直線上に並ぶキャップ保持部テーパ脚部と、ケース本体保持部の一対のテーパ脚部とは平行に並んでいるコンタクトレンズケースホルダー。
【請求項５】
請求項２ないし４のいずれか１項記載のコンタクトレンズケースホルダーにおいて、上記平板状基板の上面は、コンタクトレンズと洗浄液を入れたコンタクトレンズケースを載置する載置面を構成し、該載置面上に脱落防止突縁が形成されているコンタクトレンズケースホルダー。
【請求項６】
請求項１記載のコンタクトレンズケースホルダーにおいて、該ホルダーは、略直交させて組み合わせた複数の垂直基板を有し、これら複数の垂直基板中の二枚の垂直基板の交差部分に形成した上方に向かって間隔を拡げるＶ字状溝によって、上記ケース本体保持部と一対のキャップ体保持部とが形成されているコンタクトレンズケースホルダー。
【発明の詳細な説明】
【０００１】
【技術分野】
本発明は、コンタクトレンズケースのホルダーに関する。
【０００２】
【従来技術とその問題点】
コンタクトレンズ（以下単にレンズ）は、装用中に付着した雑菌を消毒し汚れを除去するために使用後洗浄剤で洗浄する必要がある。このため、一般的には、就寝前に外し、レンズケース内に洗浄剤と一緒に入れて一晩放置し、翌朝再び装着するという人が多い。レンズケースは通常、左右の目（レンズ）用に分かれ、かつ着脱可能なケース本体とキャップ体とからなっている。
【０００３】
使用したホルダーは、洗浄剤を捨てた後、清水（一般的に水道水）で洗浄し、乾燥させるが、この際、できるだけ雑菌の付着を防止しないと、再び使用する際、洗浄時と一緒に入れるレンズが汚染されてしまう可能性がある。ところが、レンズケースは本体とキャップ体に分かれていて、それぞれを別々に乾燥させなければならないため、従来好ましいレンズケースホルダー、つまり、雑菌の付着のおそれなく、容易に乾燥させることができるホルダーがなかった。
【０００４】
【発明の目的】
本発明は、以上の問題意識に基づき、洗浄剤とレンズを一緒に保持するコンタクトケース用のホルダーであって、ケース本体とキャップ体を、雑菌の付着のおそれなく、容易に乾燥させることができるレンズケースホルダーを得ることを目的とする。
【０００５】
【発明の概要】
本発明によるコンタクトレンズケースを保持するためのホルダーは、コンタクトレンズケースの本体を一対の有底筒状部の開放端を下方に向けて、該一対の筒状部の端面外周縁に少なくとも２カ所で点または線接触して保持するケース本体保持部と；上記逆有底筒状キャップ体の開放端を下方に向けて該筒状部の端面外周縁に少なくとも２カ所で点または線接触して保持する一対のキャップ体保持部と；を有することを特徴としている。
【０００６】
本発明のコンタクトレンズケースホルダーは、具体的には例えば平板状基板を備えるもので、ケース本体保持部と一対のキャップ体保持部とは、該平板状基板の下面に垂下形成した、該基板から下方に向けて間隔を縮小する各一対のテーパ脚部によって形成することができる。
【０００７】
ケース本体保持部の一対のテーパ脚部と、一対のキャップ保持部の各一対のテーパ脚部部は、同一直線状に並べて設けることができ、あるいは、一対のキャップ保持部のテーパ脚部を一直線上に並べ、この一直線上に並ぶキャップ保持部テーパ脚部と、ケース本体保持部の一対のテーパ脚部とを平行に並べることができる。
【０００８】
平板状基板の上面は、コンタクトレンズと洗浄液を入れたコンタクトレンズケースを載置する載置面とし、該載置面上に脱落防止突縁を形成することが好ましい。
【０００９】
別の態様としては、略直交させて組み合わせた複数の垂直基板によってホルダーを形成し、これら複数の垂直基板中の二枚の垂直基板の交差部分に形成した上方に向かって間隔を拡げるＶ字状溝によって、ケース本体保持部と一対のキャップ体保持部とを形成することができる。
【００１０】
【発明の実施形態】
図１３は、本発明が対象とするコンタクトレンズケース１０の一例を示している。このコンタクトレンズケース１０は、合成樹脂材料の成形品からなるもので、一つのケース本体１１と、二つのキャップ体１２とからなっている。ケース本体１１は、同一平面上に位置し同一方向に向く一対の有底筒状部１３を有し、各有底筒状部１３の外周面には雄ねじ１３ａが形成されている。各有底筒状部１３は、その開放端に軸線と直交する端面１３ｂを有している。
【００１１】
一対の同一形状のキャップ体１２は、偏平な逆有底筒状をなしていて、その開放端に軸線と直交する端面１２ａを有しており、その内周面には、雄ねじ１３ａと螺合する雌ねじ１２ｂが形成されている。本ケース１０に収納するレンズは、左右で度数等の仕様が異なることがあるため、キャップ体１２にはその表面（底部外面）に、左右表示１２ｃが付されている。
【００１２】
以上のコンタクトレンズケース１０は、一対の有底筒状部１３内に洗浄液と左右のレンズを入れた後、雄ねじ１３ａに雌ねじ１２ｂを螺合させて有底筒状部１３とキャップ体１２により密閉空間を作ることで、その姿勢を問わず洗浄液の漏洩を防ぎ、常時レンズと洗浄液を接触させることができる。ケース本体１１の有底筒状部１３とキャップ体１２との結合態様はねじ以外の結合態様、例えば単なる嵌め合いでもよい。
【００１３】
本発明は、例えば以上のコンタクトレンズケース１０のケース本体１１とキャップ体１２を洗浄後に分離して乾燥させる際に用いるホルダーを提供するものである。すなわち、コンタクトレンズケース１０を一度使用してレンズを洗浄液で洗浄した後には、ケース本体１１とキャップ体１２を別々に清水（一般的に水道水）で洗浄し、雑菌に触れることがないように分離させて乾燥させることが好ましい。
【００１４】
本発明は、ケース本体１１の有底筒状部１３の端面１３ｂの外周縁と、キャップ体１２の端面１２ａの外周縁のそれも一部だけに接触して保持するホルダーを提供することで、以上要求に応えるものである。図１ないし図３は、本発明の第一の実施形態を示している。このホルダー２０は、合成樹脂材料の成形品からなるもので、平板状基板２１を有しており、その上面周縁には、該基板２１上に置いたケース１０が脱落するのを防止する脱落防止突縁２２が形成されている。一方、平板状基板２１の下面には、その略中央部にケース本体１１を保持するための一対のテーパ脚部２３が垂下形成されており、このテーパ脚部２３の左右に、一対のキャップ体１２を保持するための各一対のテーパ脚部２４が一直線上に並べて形成されている。別言すると、平板状基板２１は、一対のテーパ脚部２３と二対のテーパ脚部２４を形成するに充分な横長矩形形状である。平板状基板２１には、吸盤２５に結合するための結合部２６が形成されており、吸盤２５を垂直面に吸着すると、平板状基板２１が略水平になる。
【００１５】
一対のテーパ脚部２３は、平板状基板２１から下方に向けて間隔を縮小するものである。いま、図２に示すように、ケース本体１１の一対の有底筒状部１３の並び方向の最大の長さをＡとすると、一対のテーパ脚部２３の上端の間隔ＢはＡより十分大きい。（Ｂ＞Ａ）。また、一対の有底筒状部１３の端面１３ｂ上の最大の距離をＣとすると、一対のテーパ脚部２３の下端の間隔ＤはＣより小さい（Ｃ＞Ｄ）。よって、有底筒状部１３の開口端を下に向けたケース本体１１を一対のテーパ脚部２３の間に挿入すると、有底筒状部１３の端面１３ｂの外周縁とテーパ脚部２３とが点接触または線接触し、これ以外の部分に接触することなく、ケース本体１１を保持することができる（図２）。
【００１６】
同様に、一対のテーパ脚部２４は、平板状基板２１から下方に向けて間隔を縮小するものである。いま、平面円形をなすキャップ体１２の径（端面１２ａの外周縁径）をＥとすると、一対のテーパ脚部２４の上端の間隔ＦはＥより十分大きい。（Ｆ＞Ｅ）。また、一対のテーパ脚部２４の下端の間隔ＧはＥより小さい（Ｅ＞Ｇ）。よって、開口端を下に向けたキャップ体１２を一対のテーパ脚部２４の間に挿入すると、キャップ体１２の端面１２ａの外周縁とテーパ脚部２４とが点接触または線接触し、これ以外の部分に接触することなく、キャップ体１２を保持することができる（図２）。テーパ脚部２３、２４は平板状であっても、断面円弧状であってもよい。
【００１７】
すなわち、一対のテーパ脚部２３は、ケース本体１１の有底筒状部１３の端面１３ｂの外周縁に２カ所で点または線接触して保持する本体保持部を構成し、一対のテーパ脚部２４は、キャップ体１２の端面１２ａの外周縁に２カ所で点または線接触して保持する一対のキャップ体保持部を構成する。従って、図２、図３の状態で洗浄後のケース本体１１とキャップ体１２を保持すれば、雑菌の付着のおそれなく、乾燥することができる。ホルダー２０は適当な台の上に載置してもよく、吸盤２５を用いて垂直面に吸着保持してもよい。
【００１８】
図４ないし図９は、本発明によるホルダー２０Ａの別の実施形態を示している。この実施形態は、平板状基板２１に代えて平面円板状の基板２１Ａを用いた点、該基板２１Ａ上の脱落防止突縁２２Ａをコンタクトレンズケース１０の平面形状に対応させた点、及びテーパ脚部２３と一対のテーパ脚部２４とを平行に並べた点が第一の実施形態と異なる。また、この実施形態では、テーパ脚部２３、２４の上端部に、基板２１に直交する直交垂下壁２３ｖ、２４ｖを設けており、かつ一対のテーパ脚部２３（直交垂下壁２３ｖ）の壁を延長して、対をなすテーパ脚部２４（直交垂下壁２４ｖ）の一方の壁としている（図８、図９）。テーパ脚部２３、２４には、ケース本体１１とキャップ体１２の挿入位置を規制するストッパ突起２３ｓ、２４ｓが設けられている。基本的な寸法関係は、第一の実施形態と同様である。
【００１９】
図５、図６では、基板２１Ａの上に載置するレンズ洗浄状態のケース１０、一対のテーパ脚部２３によって支持されるケース本体１１、及び二対のテーパ脚部２４によって保持されるキャップ体１２を合わせて描いている。この実施形態のホルダー２０も、第一の実施形態と同様に用いることができる。
【００２０】
図１０ないし図１２は、本発明のホルダー２０Ｂの第三の実施形態を示している。この実施形態のホルダー２０Ｂは、複数の垂直基板２７を平面視略直交させて組み合わせた構成であり、これら複数の垂直基板２７中の二枚の垂直基板の交差部分２７ＸＹに、Ｖ字状溝２８を形成している。より詳細には、中央の平面十字状垂直基板２７Ａと、周縁の平面矩形垂直基板２７Ｂとを組み合わせ、十字状垂直基板２７Ａを構成する垂直基板と、矩形垂直基板２７Ｂを構成する垂直基板との交差部分２７ＸＹに、該交差部分２７ＸＹを中心に上方に向かって間隔を拡げるＶ字状溝２８を構成している。矩形状垂直基板２７Ａの一部には、吸盤２５に結合するための結合部２６が形成されており、吸盤２５を垂直面に吸着すると、垂直基板２７が略垂直になる。
【００２１】
上記構成のホルダー２０Ｂは、垂直基板２７の二つの交差部分２７ＸＹの二つのＶ字状溝２８に跨らせて、有底筒状部１３の開口端を下方に向けたケース本体１１を載置し、垂直基板２７の一つの交差部分２７ＸＹのＶ字状溝２８に、キャップ体１２を載置する。すると、Ｖ字状溝２８の縁部が、有底筒状部１３の端面１３ｂの外周縁に２カ所で点または線接触してケース本体１１を保持し、かつキャップ体１２の端面１２ａの外周縁に２カ所で点または線接触してこれを支持する。従って、洗浄後のケース本体１１とキャップ体１２を雑菌の付着のおそれなく乾燥することができる。ホルダー２０は適当な台の上に載置してもよく、吸盤２５を用いて垂直面に吸着保持してもよい。
【００２２】
【発明の効果】
以上のように本発明のコンタクトレンズケースホルダーによれば、洗浄剤とレンズを一緒に保持するコンタクトケースの本体とキャップ体を、雑菌の付着のおそれなく、容易に乾燥させることができる。
【図面の簡単な説明】
【図１】本発明によるコンタクトレンズケースホルダーの第一の実施形態を示す斜視図である。
【図２】図１のＩＩ‐ＩＩ線に沿う断面図である。
【図３】図１のＩＩＩ‐ＩＩＩ線に沿う断面図である。
【図４】本発明によるコンタクトレンズケースホルダーの第二の実施形態を示す、ホルダ単体の斜視図である。
【図５】同コンタクトレンズケースホルダーの使用状態の斜視図である。
【図６】図４、図５のホルダーの平面図である。
【図７】図６の正面図である。
【図８】図６のＶＩＩＩ‐ＶＩＩＩ線に沿う断面図である。
【図９】図６のＩＸ‐ＩＸ線に沿う断面図である。
【図１０】本発明によるコンタクトレンズケースホルダーの第三の実施形態を示す斜視図である。
【図１１】同平面図である。
【図１２】図１１の正面図である。
【図１３】コンタクトレンズホルダーの一例の斜視図である。
【符号の説明】
１０    コンタクトレンズケース
１１    ケース本体
１２    キャップ体
１２ａ  端面
１２ｂ  雌ねじ
１２ｃ  左右表示
１３    有底筒状部
１３ａ  雄ねじ
１３ｂ  端面
２０  ２０Ａ  ２０Ｂ  ホルダー
２１    平板状基板
２２    脱落防止突縁
２３    テーパ脚部
２４    テーパ脚部
２５    吸盤
２６    結合部
２７    垂直基板
２７Ａ  十字状垂直基板
２７Ｂ  矩形垂直基板
２７ＸＹ  交差部分
２８    Ｖ字状溝
【図１】
2004298564.tif 000003
【図２】
2004298564.tif 000004
【図３】
2004298564.tif 000005
【図４】
2004298564.tif 000006
【図５】
2004298564.tif 000007
【図６】
2004298564.tif 000008
【図７】
2004298564.tif 000009
【図８】
2004298564.tif 000010
【図９】
2004298564.tif 000011
【図１０】
2004298564.tif 000012
【図１１】
2004298564.tif 000013
【図１２】
2004298564.tif 000014
【図１３】
2004298564.tif 000015